(57)【要約】【課題】ヘッドホンにおいて、使用者が装着して使用する際、イヤーパッドの装着面側の耳の周囲との隙間からの音漏れを防止する。【解決手段】オーディオ信号を音として出力するスピーカドライバを内蔵したハウジングの聴取者の耳に当たる面にイヤーパッドが取り付けられているヘッドホンにおいて、イヤーパッドの、聴取者の頭部前側上方、頭部後側下方に当たる装着面に凸部を緩やかな曲面として設け、イヤーパッドの装着時に隙間が発生しないように、使用者の耳の周囲にフィットする形状とする。【選択図】      図１
2013138350.tif 000002
【特許請求の範囲】
【請求項１】
オーディオ信号を音として出力するスピーカドライバを内蔵したハウジングの聴取者の耳に当たる面にイヤーパッドが取り付けられたヘッドホンにおいて、前記イヤーパッドの聴取者の頭部前側上方に当たる面に凸部を設けたことを特徴とするヘッドホン。
【請求項２】
オーディオ信号を音として出力するスピーカドライバを内蔵したハウジングの聴取者の耳に当たる面にイヤーパッドが取り付けられたヘッドホンにおいて、前記イヤーパッドの聴取者の頭部後側下方に当たる面に凸部を設けたことを特徴とするヘッドホン。
【請求項３】
オーディオ信号を音として出力するスピーカドライバを内蔵したハウジングの聴取者の耳に当たる面に取り付けられたヘッドホンのイヤーパッドにおいて、聴取者の頭部前側上方に当たる面に凸部を設けたことを特徴とするイヤーパッド。
【請求項４】
オーディオ信号を音として出力するスピーカドライバを内蔵したハウジングの聴取者の耳に当たる面に取り付けられたヘッドホンのイヤーパッドにおいて、聴取者の頭部後側下方に当たる面に凸部を設けたことを特徴とするイヤーパッド。
【請求項５】
オーディオ信号を音として出力するスピーカドライバを内蔵したハウジングの聴取者の耳に当たる面に取り付けられたヘッドホンのイヤーパッドにおいて、多角形形状とし、前記多角形の一辺の装着面を単調な傾斜として形成したことを特徴とするイヤーパッド。
【請求項６】
請求項３に記載のヘッドホンのイヤーパッドにおいて、
前記多角形の角にあたる部分を前記角を形成する２辺の傾斜の頂点とすることを特徴とするイヤーパッド。
【請求項７】
請求項３に記載のヘッドホンのイヤーパッドにおいて、
前記多角形の角にあたる部分を前記角を形成する２辺の傾斜の変化点とすることを特徴とするイヤーパッド。
【請求項８】
請求項５乃至請求項７のいずれか一項に記載のイヤーパッドを備えたことを特徴とするヘッドホン。
【発明の詳細な説明】
【技術分野】
【０００１】
本発明は、オーディオ再生機器等に接続して、音楽、音声等の聴取に使用するヘッドホン及びイヤーパッドに関する。
【背景技術】
【０００２】
使用者が、頭部、左右の耳に装着して、音楽、音声等の聴取に使用するヘッドホンにおいて、左右の耳にそれぞれ装着するハウジングを、ヘッドバンドで接続し、当該ヘッドバンドは、左右のハウジングを支持しながら、頭部上方で装着される構成としたヘッドホンが、一般的に知られている。
【０００３】
前記左右のハウジングには、左右の耳の周囲に当たる装着面にそれぞれ、周囲への音漏れや外部からの雑音を防止しながら快適に装着するため、イヤーパッドが備えられている。
【０００４】
ヘッドホンに用いられるイヤーパッドは、耳の周囲に当たる装着面が平坦（フラット）に形成されているものが多い。使用者がヘッドホンを装着する際、イヤーパッドの装着面がフラットである場合、頭部の耳の周囲には凹凸があるため、頭部の耳の周囲とヘッドホンの装着面との間に隙間があくことがあるので、この隙間をなくすため、耳の周囲にフィットするよう、イヤーパッドの装着面に角度を持たせる構造にしたヘッドホンがあった（特許文献１、特許文献２参照）。
【先行技術文献】
【特許文献】
【０００５】
【特許文献１】実開平０５−０８５１９０号公報
【特許文献２】特開２００８−１２４７３４号公報
【発明の概要】
【発明が解決しようとする課題】
【０００６】
特許文献１及び特許文献２に開示されているイヤーパッドの装着面に角度を持たせる構造だけでは、耳の周囲の凹凸に充分対応することができず、イヤーパッドの装着面と耳の周囲の間に隙間があき、外部への音漏れが発生することがあった。図５は、そのような従来のヘッドホンのイヤーパッドの隙間を生じる装着状態の一例を示す図であり、頭部の斜め後ろ側から見た図である。例えば、このように、ハウジング２０、ヘッドパッド３０、イヤーパッド４０を備えたヘッドホン１０を使用者が装着した状態において、耳の後ろから首に至る部分に隙間が開くことによって音漏れが発生していた。また、音漏れによって、使用者が聴取する音の低周波数域の信号成分が低減し音質が損なわれることがあった。このほかにも耳の前側上方など、イヤーパッド４０の装着面と耳の周囲の間に、図５に矢印で示すように、隙間があく箇所があり、同時に、音漏れや音質が損なわれるという問題が生じていた。
【０００７】
本願発明は、ヘッドホンにおいて、装着時にヘッドホンの装着感を損なうことなく、イヤーパッドの装着面に隙間が開かないようにして、外部への音漏れの発生を防止し、使用者が聴取している音の低音不足等の音質劣化を防止することを目的とする。
また、本願発明は、ヘッドホンの装着面に隙間が開かないような凹凸を形成しやすい構造のイヤーパッドを提供することを目的とする。
【課題を解決するための手段】
【０００８】
本願発明に係るヘッドホンは、オーディオ信号を音として出力するスピーカドライバを内蔵したハウジングの聴取者の耳に当たる面にイヤーパッドが取り付けられたヘッドホンにおいて、前記イヤーパッドの聴取者の頭部前側上方に当たる面に凸部を設けたものである。
【０００９】
本願発明に係るヘッドホンは、オーディオ信号を音として出力するスピーカドライバを内蔵したハウジングの聴取者の耳に当たる面にイヤーパッドが取り付けられたヘッドホンにおいて、前記イヤーパッドの聴取者の頭部後側下方に当たる面に凸部を設けたものである。
【００１０】
本願発明に係るイヤーパッドは、オーディオ信号を音として出力するスピーカドライバを内蔵したハウジングの聴取者の耳に当たる面に取り付けられたヘッドホンのイヤーパッドにおいて、聴取者の頭部前側上方に当たる面に凸部を設けたものである。
【００１１】
本願発明に係るイヤーパッドは、オーディオ信号を音として出力するスピーカドライバを内蔵したハウジングの聴取者の耳に当たる面に取り付けられたヘッドホンのイヤーパッドにおいて、聴取者の頭部後側下方に当たる面に凸部を設けたものである。
【００１２】
本願発明に係るヘッドホン及びイヤーパッドは、オーディオ信号を音として出力するスピーカドライバを内蔵したハウジングの聴取者の耳に当たる面に取り付けられたヘッドホンのイヤーパッドにおいて、多角形形状とし、前記多角形の一辺の装着面を単調な傾斜として形成したものである。
【００１３】
また、本願発明に係るヘッドホン及びイヤーパッドは、前記多角形の角にあたる部分を前記角を形成する２辺の傾斜の頂点とするものである。
【００１４】
また、本願発明に係るヘッドホン及びイヤーパッドは、前記多角形の角にあたる部分を前記角を形成する２辺の傾斜の変化点とするものである。
【発明の効果】
【００１５】
本発明のヘッドホン及びイヤーパッドによれば、ヘッドホンの装着感を損うことなく、ヘッドホンのイヤーパッドを隙間なく装着することができ、音漏れを防止することができる。また、音漏れによる音質の劣化を抑えることができる。
【図面の簡単な説明】
【００１６】
【図１】本発明のヘッドホンの一実施形態の概略構成を示す図である。
【図２】本発明のヘッドホンの左側のイヤーパッドの一実施形態の形状を示す図である。
【図３】本発明のヘッドホンの右側のイヤーパッドの一実施形態の形状を示す図である。
【図４】ヘッドホンのイヤーパッドを頭部に密着するようにフィッティングした場合の装着状態を示す図である。
【図５】従来のヘッドホンのイヤーパッドの隙間を生じる装着状態の一例を示す図である。
【発明を実施するための形態】
【００１７】
図１は、本発明のヘッドホンの一実施形態の概略構成を示す図である。
使用者が、頭部、左右の耳に装着して、音楽、音声等の聴取に使用するヘッドホンにおいて、左右のハウジング１には、それぞれ図示しないスピーカドライバを内蔵するように収納され、左右の耳にそれぞれ装着するためイヤーパッド２が取り付けられている。
パイプ３及びヘッドパッド４はヘッドバンドを構成し、左右それぞれのハウジング１を接続する。ヘッドパッド４は、図示しないクッション材を内部に備え、使用者の頭頂部でヘッドホンを装着、支持する。
【００１８】
図２は、本発明のヘッドホンの左側のイヤーパッドの一実施形態の形状を示す図であり、（ａ）は上方から見た図、（ｂ）は後方から見た図、（ｃ）は装着面の正面図、（ｄ）は前方から見た図、（ｅ）は下方から見た図である。
図３は、本発明のヘッドホンの右側のイヤーパッドの一実施形態の形状を示す図であり、（ａ）は上方から見た図、（ｂ）は前方から見た図、（ｃ）は装着面の正面図、（ｄ）は後方から見た図、（ｅ）は下方から見た図である。
左右のイヤーパッドは、それぞれ、略六角形状に形成され、それぞれの装着面は、装着時の隙間をなくすための凹凸を有する曲面に形成されている。
【００１９】
聴取者の耳の周囲において、頭部の耳の後側下方は、首のつけねにあたる凹みによって、平坦なイヤーパッドを装着した場合、隙間が開く傾向がある。このため、イヤーパッドの装着面のうち、頭部の耳の後側下方（図２（ｃ）の左下部分、図３（ｃ）の右下部分）に、使用者の耳の後側下方に柔らかくフィットするように、なだらかに凸部を形成する（図２及び図３の（１）部分）。
【００２０】
聴取者の耳の周囲において、頭部の耳の前側上方は、額の側面のこめかみ及び頬の部分により、凹みによって隙間が開く傾向がある。このため、イヤーパッドの装着面のうち、頭部の耳の前側上方（図２（ｃ）の左上部分、図３（ｃ）の右上部分）に、使用者の耳の前側上方にイヤーパッドが柔らかくフィットするように、なだらかに凸部を形成する（図２及び図３の（２）部分）。
【００２１】
このようなイヤーパッドの、使用者の耳の後側下方又は前側上方に凸部を形成することにより、ヘッドホンの装着感を損うことなく、イヤーパッドと頭部との間の隙間をなくすことができ、音漏れを防止することができる。
【００２２】
図４は、ヘッドホンの装着状態を示す図であり、頭部正面から見た図である。  頭部の耳の周囲には凹凸があるため、ヘッドホンを頭部に装着した場合には、イヤーパッドの凹凸（曲面形状）が頭部の耳の周囲にフィッティングし、図４に示すように、頭部とイヤーパッドの境目が密着し音漏れを防止することができる。
【００２３】
図２、図３に示すイヤーパッドは、角に丸みを持たせた略六角形状として形成されている。図２（ｃ）では、Ａ〜Ｆの丸みを持った角を有し、図３（ｃ）では、Ｇ〜Ｌの丸みを持った角を有する。
【００２４】
図２、図３のイヤーパッドにおいて、前側上方の辺（図２（ｃ）のＡ−Ｂ、図３（ｃ）のＧ−Ｈ）は、上から下に向かって装着面が盛り上がっていく斜面として形成される。また、前側下方の辺（図２（ｃ）のＢ−Ｃ、図３（ｃ）のＨ−Ｉ）は、上から下に向かって装着面が少し下がりながらほぼ平坦な面として形成される。ここで、図２（ｃ）の角Ｂ、図３（ｃ）の角Ｈは、装着面上で凸部の頂点を形成する。
【００２５】
図２、図３のイヤーパッドにおいて、下の辺（図２（ｃ）のＣ−Ｄ、図３（ｃ）のＩ−Ｊ）は、前側から後側に向かって装着面が緩やかに上がっていく斜面として形成される。
図２、図３のイヤーパッドにおいて、後側下方の辺（図２（ｃ）のＤ−Ｅ、図３（ｃ）のＪ−Ｋ）は、下から上に向かって装着面が緩やかに下がっていく斜面として形成される。ここで、図２（ｃ）の角Ｄ、図３（ｃ）の角Ｊは、装着面上で凸部の頂点を形成する。
【００２６】
図２、図３のイヤーパッドにおいて、後側上方の辺（図２（ｃ）のＥ−Ｆ、図３（ｃ）のＫ−Ｌ）は、下から上に向かって装着面が緩やかに上がっていく斜面として形成される。ここで、図２（ｃ）の角Ｅ、図３（ｃ）の角Ｋは、装着面上で凹部谷底の頂点を形成する。そして、図２（ｃ）の角Ｆ、図３（ｃ）の角Ｌは、装着面上で凸部の頂点を形成する。
【００２７】
図２、図３のイヤーパッドにおいて、上の辺（図２（ｃ）のＦ−Ａ、図３（ｃ）のＬ−Ｇ）は、後側から前側に向かって装着面が緩やかに下がっていく斜面として形成される。ここで、図２（ｃ）の角Ａ、図３（ｃ）の角Ｇは、装着面上で凹部谷底の頂点を形成する。
【００２８】
図２、図３のようにイヤーパッドを構成することにより、弾性を有するイヤーパッドの装着面に凹凸を有する曲面が形成され、使用者の頭部の耳の周囲にフィットするように装着することができる。
このため、使用者の頭部の耳の周囲とイヤーパッドとの間に隙間が開くことを防止することができ、図４に示すように頭部とイヤーパッドの境目がフィッティングし、音漏れ、音質の劣化を防止することができる。
【００２９】
以上のように、イヤーパッドの使用者の頭部に接触する面において、イヤーパッドの辺ごとの傾斜を上り又は下りの単調な斜面とし、上りから下りへの変化点、下りから上りへの変化点、又は傾斜角の変化点をイヤーパッドの角部に合わせることにより、イヤーパッドを形成する構成部品を分割して単純な形で製造し、組--み合わせて形成可能とすることにより、使用者の耳の周囲にフィットしやすい複雑な凹凸を有する装着面を備えるイヤーパッドの生産・組み立てを容易に低コストで行うことが可能となる。
【産業上の利用可能性】
【００３０】
本発明は、装着しやすい形状を有するイヤーパッド、及び当該イヤーパッドを備えた装着感の良いヘッドホンに利用できる。
【符号の説明】
【００３１】
１  ハウジング
２  イヤーパッド
３  パイプ
４  ヘッドパッド
【図１】
2013138350.tif 000003
【図２】
2013138350.tif 000004
【図３】
2013138350.tif 000005
【図４】
2013138350.tif 000006
【図５】
2013138350.tif 000007